(57)【要約】【課題】  ロックされたマルチメディアデータを再生可能なコンピュータシステム及びその方法の提供。【解決手段】  コンピュータシステムにシステムリソース消耗の大きい第１ＯＳとシステムリソース消耗が小さい第２ＯＳがインストールされ、該コンピュータシステムがＢＩＯＳで起動された後、第２ＯＳに進入し、使用端がマルチメディア受信ユニットで遠端のロックされたマルチメディアデータを受信してそれを保存ユニット内に保存し、ロック解除ユニットを通して該保存ユニットに保存された少なくとも一つのロックされたマルチメディアデータとそれに対応し第１ＯＳが提供する登録情報を読み取り、ロック解除動作を行ない、ロック解除完成後に、再生ユニットを通して該ロック解除ユニットによりロック解除されたマルチメディアデータを読み取り、マルチメディア再生を行なう。【選択図】        図３
2005323343.tif 000002
【特許請求の範囲】
【請求項１】
ロックされたマルチメディアデータを再生可能なコンピュータシステムにおいて、該コンピュータシステムは、
システムリソース消耗が高い第１オペレーションシステムと、
該第１オペレーションシステム内に保存されて少なくとも一つのロックされたマルチメディアデータのロック解除情報を提供可能である登録情報と、
システムリソース消耗が第１オペレーションシステムよりも低い第２オペレーションシステムと、
を具え、第２オペレーションシステムが第１オペレーションシステムの該登録情報の内容を共有できることを特徴とする、ロックされたマルチメディアデータを再生可能なコンピュータシステム。
【請求項２】
請求項１記載のロックされたマルチメディアデータを再生可能なコンピュータシステムにおいて、ロック解除情報がロックされたマルチメディアデータに対応する暗号解除キーとされたことを特徴とする、ロックされたマルチメディアデータを再生可能なコンピュータシステム。
【請求項３】
請求項１記載のロックされたマルチメディアデータを再生可能なコンピュータシステムにおいて、登録情報がアプリケーションプログラムに対応する登録コードとされて該アプリケーションプログラムを実行する使用権利を提供することを特徴とする、ロックされたマルチメディアデータを再生可能なコンピュータシステム。
【請求項４】
請求項１記載のロックされたマルチメディアデータを再生可能なコンピュータシステムにおいて、登録情報がｃｏｏｋｉｅｓ情報とされて、それは遠端ＨＰサーバーが該コンピュータシステムに伝送する認識データを保存するのに用いられることを特徴とする、ロックされたマルチメディアデータを再生可能なコンピュータシステム。
【請求項５】
請求項１記載のロックされたマルチメディアデータを再生可能なコンピュータシステムにおいて、第１オペレーションシステムがＷｉｎｄｏｗｓ（登録商標）系列のオペレーションシステムとされたことを特徴とする、ロックされたマルチメディアデータを再生可能なコンピュータシステム。
【請求項６】
請求項１記載のロックされたマルチメディアデータを再生可能なコンピュータシステムにおいて、第２オペレーションシステムがＬｉｎｕｘ（登録商標）オペレーションシステムとされたことを特徴とする、ロックされたマルチメディアデータを再生可能なコンピュータシステム。
【請求項７】
ロックされたマルチメディアデータを再生可能なコンピュータシステムにおいて、該コンピュータシステムにはシステムリソース消耗が高い第１オペレーションシステムと、システムリソース消耗が第１オペレーションシステムよりも低い第２オペレーションシステムとがインストールされ、該コンピュータシステムは第２オペレーションシステム下でロックされたマルチメディアデータのロック解除を行ない、該コンピュータシステムは、
該第１オペレーションシステム内に保存されて少なくとも一つのロックされたマルチメディアデータのロック解除情報を提供可能である登録情報と、
少なくとも一つのロックされたマルチメディアデータと該登録情報を読み取り、ロック解除を行なうロック解除ユニットと、
該ロック解除ユニットがロック解除したマルチメディアデータを読み取り、再生する再生ユニットと、
を具えたことを特徴とする、ロックされたマルチメディアデータを再生可能なコンピュータシステム。
【請求項８】
請求項７記載のロックされたマルチメディアデータを再生可能なコンピュータシステムにおいて、ロック解除情報が少なくとも一つのロックされたマルチメディアデータに対応する暗号解除キーとされて、該暗号解除キーはロック解除ユニットに提供されてロックされたマルチメディアデータに対するロック解除に供されることを特徴とする、ロックされたマルチメディアデータを再生可能なコンピュータシステム。
【請求項９】
請求項７記載のロックされたマルチメディアデータを再生可能なコンピュータシステムにおいて、登録情報がアプリケーションプログラムに対応する登録コードとされて該アプリケーションプログラムを実行する使用権利を提供することを特徴とする、ロックされたマルチメディアデータを再生可能なコンピュータシステム。
【請求項１０】
請求項７記載のロックされたマルチメディアデータを再生可能なコンピュータシステムにおいて、登録情報がｃｏｏｋｉｅｓ情報とされて、それは遠端ＨＰサーバーが該コンピュータシステムに伝送する認識データを保存するのに用いられることを特徴とする、ロックされたマルチメディアデータを再生可能なコンピュータシステム。
【請求項１１】
請求項７記載のロックされたマルチメディアデータを再生可能なコンピュータシステムにおいて、保存ユニットを更に具え、該保存ユニットが少なくとも一つのマルチメディアデータを保存することを特徴とする、ロックされたマルチメディアデータを再生可能なコンピュータシステム。
【請求項１２】
請求項１１記載のロックされたマルチメディアデータを再生可能なコンピュータシステムにおいて、マルチメディアデータがロックされたマルチメディアデータとされたことを特徴とする、ロックされたマルチメディアデータを再生可能なコンピュータシステム。
【請求項１３】
請求項１１記載のロックされたマルチメディアデータを再生可能なコンピュータシステムにおいて、保存ユニットがハードディスクとされたことを特徴とする、ロックされたマルチメディアデータを再生可能なコンピュータシステム。
【請求項１４】
請求項１１記載のロックされたマルチメディアデータを再生可能なコンピュータシステムにおいて、保存ユニットが関係保存装置とされたことを特徴とする、ロックされたマルチメディアデータを再生可能なコンピュータシステム。
【請求項１５】
請求項１４記載のロックされたマルチメディアデータを再生可能なコンピュータシステムにおいて、関係保存装置がＵＳＢディスクとされたことを特徴とする、ロックされたマルチメディアデータを再生可能なコンピュータシステム。
【請求項１６】
請求項７記載のロックされたマルチメディアデータを再生可能なコンピュータシステムにおいて、保存ユニットが提供するマルチメディアデータがアンロックのマルチメディアデータとされる時、直接該アンロックのマルチメディアデータが再生ユニットに伝送されて再生されることを特徴とする、ロックされたマルチメディアデータを再生可能なコンピュータシステム。
【請求項１７】
請求項７記載のロックされたマルチメディアデータを再生可能なコンピュータシステムにおいて、マルチメディア受信ユニットを更に具え、該マルチメディア受信ユニットは少なくとも一つの遠端マルチメディアデータを受信し、並びにそれを保存ユニット内に保存することを特徴とする、ロックされたマルチメディアデータを再生可能なコンピュータシステム。
【請求項１８】
請求項１７記載のロックされたマルチメディアデータを再生可能なコンピュータシステムにおいて、マルチメディア受信ユニットがアナログ遠端マルチメディアデータをデジタルマルチメディアデータに変換することを特徴とする、ロックされたマルチメディアデータを再生可能なコンピュータシステム。
【請求項１９】
請求項１７記載のロックされたマルチメディアデータを再生可能なコンピュータシステムにおいて、遠端マルチメディアデータがロックされたマルチメディアデータとされたことを特徴とする、ロックされたマルチメディアデータを再生可能なコンピュータシステム。
【請求項２０】
請求項７記載のロックされたマルチメディアデータを再生可能なコンピュータシステムにおいて、入力ユニットを更に具え、該入力ユニットが外部命令を受け取るのに用いられることを特徴とする、ロックされたマルチメディアデータを再生可能なコンピュータシステム。
【請求項２１】
請求項２０記載のロックされたマルチメディアデータを再生可能なコンピュータシステムにおいて、入力ユニットが無線リモートコントローラーとされたことを特徴とする、ロックされたマルチメディアデータを再生可能なコンピュータシステム。
【請求項２２】
請求項２０記載のロックされたマルチメディアデータを再生可能なコンピュータシステムにおいて、入力ユニットがキーボードとされたことを特徴とする、ロックされたマルチメディアデータを再生可能なコンピュータシステム。
【請求項２３】
請求項７記載のロックされたマルチメディアデータを再生可能なコンピュータシステムにおいて、ＣＰＵを更に具え、該ＣＰＵは入力ユニットからの外部命令を受け取り、マルチメディア受信ユニットを駆動して遠端マルチメディアデータを受信することを特徴とする、ロックされたマルチメディアデータを再生可能なコンピュータシステム。
【請求項２４】
請求項７記載のロックされたマルチメディアデータを再生可能なコンピュータシステムにおいて、ＢＩＯＳを更に具え、該ＢＩＯＳは第２オペレーションシステムを起動する命令を下達してシステムリソース消耗が比較的低い第２オペレーションシステムを実行してロックされたマルチメディアデータのロック解除を行なわせることを特徴とする、ロックされたマルチメディアデータを再生可能なコンピュータシステム。
【請求項２５】
請求項７記載のロックされたマルチメディアデータを再生可能なコンピュータシステムにおいて、第１オペレーションシステムがＷｉｎｄｏｗｓ（登録商標）系列のオペレーションシステムとされたことを特徴とする、ロックされたマルチメディアデータを再生可能なコンピュータシステム。
【請求項２６】
請求項７記載のロックされたマルチメディアデータを再生可能なコンピュータシステムにおいて、第２オペレーションシステムがＬｉｎｕｘ（登録商標）オペレーションシステムとされたことを特徴とする、ロックされたマルチメディアデータを再生可能なコンピュータシステム。
【請求項２７】
請求項７記載のロックされたマルチメディアデータを再生可能なコンピュータシステムにおいて、第２オペレーションシステムが第１オペレーションシステムにインストールされたアプリケーションプログラムを共用することを特徴とする、ロックされたマルチメディアデータを再生可能なコンピュータシステム。
【請求項２８】
ロックされたマルチメディアデータを再生する方法において、この方法はシステムリソース消耗が高い第１オペレーションシステムとシステムリソース消耗が第１オペレーションシステムよりも低い第２オペレーションシステムとがインストールされたコンピュータシステムにおいて、第２オペレーションシステム下でロックされたマルチメディアデータのロック解除を行なうのに用いられ、この方法は、
登録情報を第１オペレーションシステム内に保存して少なくとも一つのロックされたマルチメディアデータのロック解除情報を提供するステップと、
ロック解除ユニットを通して、少なくとも一つのロックされたマルチメディアデータと該登録情報を読み取り、ロック解除を行なうステップと、
再生ユニットを通して、該ロック解除ユニットがロック解除したマルチメディアデータを読み取り、再生するステップと、
を具えたことを特徴とする、ロックされたマルチメディアデータを再生する方法。
【請求項２９】
請求項２８記載のロックされたマルチメディアデータを再生する方法において、ロック解除情報が少なくとも一つのロックされたマルチメディアデータに対応する暗号解除キーとされて、該暗号解除キーはロック解除ユニットに提供されてロックされたマルチメディアデータに対するロック解除に供されることを特徴とする、ロックされたマルチメディアデータを再生する方法。
【請求項３０】
請求項２８記載のロックされたマルチメディアデータを再生する方法において、登録情報がアプリケーションプログラムに対応する登録コードとされて該アプリケーションプログラムを実行する使用権利を提供することを特徴とする、ロックされたマルチメディアデータを再生する方法。
【請求項３１】
請求項２８記載のロックされたマルチメディアデータを再生する方法において、登録情報がｃｏｏｋｉｅｓ情報とされて、それは遠端ＨＰサーバーが該コンピュータシステムに伝送する認識データを保存するのに用いられることを特徴とする、ロックされたマルチメディアデータを再生する方法。
【請求項３２】
請求項２８記載のロックされたマルチメディアデータを再生する方法において、保存ユニットを更に具え、該保存ユニットが少なくとも一つのマルチメディアデータを保存することを特徴とする、ロックされたマルチメディアデータを再生する方法。
【請求項３３】
請求項３２記載のロックされたマルチメディアデータを再生する方法において、マルチメディアデータがロックされたマルチメディアデータとされたことを特徴とする、ロックされたマルチメディアデータを再生する方法。
【請求項３４】
請求項３２記載のロックされたマルチメディアデータを再生する方法において、保存ユニットがハードディスクとされたことを特徴とする、ロックされたマルチメディアデータを再生する方法。
【請求項３５】
請求項３２記載のロックされたマルチメディアデータを再生する方法において、保存ユニットが関係保存装置とされたことを特徴とする、ロックされたマルチメディアデータを再生する方法。
【請求項３６】
請求項３５記載のロックされたマルチメディアデータを再生する方法において、関係保存装置がＵＳＢディスクとされたことを特徴とする、ロックされたマルチメディアデータを再生する方法。
【請求項３７】
請求項２８記載のロックされたマルチメディアデータを再生する方法において、保存ユニットが提供するマルチメディアデータがアンロックのマルチメディアデータとされる時、直接該アンロックのマルチメディアデータが再生ユニットに伝送されて再生されることを特徴とする、ロックされたマルチメディアデータを再生する方法。
【請求項３８】
請求項２８記載のロックされたマルチメディアデータを再生する方法において、マルチメディア受信ユニットを更に具え、該マルチメディア受信ユニットは少なくとも一つの遠端マルチメディアデータを受信し、並びにそれを保存ユニット内に保存することを特徴とする、ロックされたマルチメディアデータを再生する方法。
【請求項３９】
請求項３８記載のロックされたマルチメディアデータを再生する方法において、マルチメディア受信ユニットがアナログ遠端マルチメディアデータをデジタルマルチメディアデータに変換することを特徴とする、ロックされたマルチメディアデータを再生する方法。
【請求項４０】
請求項３８記載のロックされたマルチメディアデータを再生する方法において、遠端マルチメディアデータがロックされたマルチメディアデータとされたことを特徴とする、ロックされたマルチメディアデータを再生する方法。
【請求項４１】
請求項２８記載のロックされたマルチメディアデータを再生する方法において、入力ユニットを更に具え、該入力ユニットが外部命令を受け取るのに用いられることを特徴とする、ロックされたマルチメディアデータを再生する方法。
【請求項４２】
請求項４１記載のロックされたマルチメディアデータを再生する方法において、入力ユニットが無線リモートコントローラーとされたことを特徴とする、ロックされたマルチメディアデータを再生する方法。
【請求項４３】
請求項４１記載のロックされたマルチメディアデータを再生する方法において、入力ユニットがキーボードとされたことを特徴とする、ロックされたマルチメディアデータを再生する方法。
【請求項４４】
請求項２８記載のロックされたマルチメディアデータを再生する方法において、ＣＰＵを更に具え、該ＣＰＵは入力ユニットからの外部命令を受け取り、マルチメディア受信ユニットを駆動して遠端マルチメディアデータを受信することを特徴とする、ロックされたマルチメディアデータを再生する方法。
【請求項４５】
請求項２８記載のロックされたマルチメディアデータを再生する方法において、ＢＩＯＳを更に具え、該ＢＩＯＳは第２オペレーションシステムを起動する命令を下達してシステムリソース消耗が比較的低い第２オペレーションシステムを実行してロックされたマルチメディアデータのロック解除を行なわせることを特徴とする、ロックされたマルチメディアデータを再生する方法。
【請求項４６】
請求項２８記載のロックされたマルチメディアデータを再生する方法において、第１オペレーションシステムがＷｉｎｄｏｗｓ（登録商標）系列のオペレーションシステムとされたことを特徴とする、ロックされたマルチメディアデータを再生する方法。
【請求項４７】
請求項２８記載のロックされたマルチメディアデータを再生する方法において、第２オペレーションシステムがＬｉｎｕｘ（登録商標）オペレーションシステムとされたことを特徴とする、ロックされたマルチメディアデータを再生する方法。
【請求項４８】
請求項２８記載のロックされたマルチメディアデータを再生する方法において、第２オペレーションシステムが第１オペレーションシステムにインストールされたアプリケーションプログラムを共用することを特徴とする、ロックされたマルチメディアデータを再生する方法。
【発明の詳細な説明】
【技術分野】
【０００１】
本発明はロックされたマルチメディアデータを再生可能なコンピュータシステム及びその方法に係り、特に、コンピュータシステムがＢＩＯＳ（基本入出力システム）で起動された後、システムリソース消耗が第１ＯＳ（オペレーションシステム）より少ない第２ＯＳ（オペレーションシステム）に進入し、使用者がマルチメディア受信ユニットで遠端のロックされたマルチメディアデータを受信してそれを保存ユニット内に保存し、ロック解除ユニットを通して該保存ユニットに保存された少なくとも一つのロックされたマルチメディアデータとそれに対応し第１ＯＳが提供する登録情報を読み取り、ロック解除動作を行ない、ロック解除完成後に、再生ユニットを通して該ロック解除ユニットがロック解除したマルチメディアデータを読み取り、マルチメディア再生を行なう、ロックされたマルチメディアデータを再生可能なコンピュータシステム及びその方法に関する。
【背景技術】
【０００２】
情報テクノロジーの発達する前、人々は余暇に時間と地域の制限を受けるために、新刊書籍を読むのに図書館や書店で出向かねばならず、またテレビ番組はその放送時間でなければ観ることができなかった。近年、情報とネットワークテクノロジーが進歩し、コンピュータシステムに多種類の機能が統合されてデジタル内容の提供が可能となり、人々はコンピュータにネットワークを通してリアルタイムで新しい電子書籍、ビデオ情報、マルチメディアデータをダウンロードできるようになり、このためデジタルコンテンツサービスは、次第に人々の日常生活に浸透してきている。
【０００３】
いわゆるデジタルコンテンツとは、画像、文字、映像及び音声等のマルチメディアデータを情報テクノロジーを運用してデジタル化し並びに運用する製品或いはサービスに整合させたものを指す。価値から観ると、伝統的な商業化価値を有する教育、娯楽、文化と芸術の内容は、情報テクノロジーの運用により、もとのアナログ型式からデジタル化フォーマットに変換され、複製と付加価値付与が容易な特性を具備するようになるほか、デジタルコンテンツ製品の相互作用とオーディオビデオ整合の機能が付与される。更に情報テクノロジーの運転により、各種デジタルコンテンツは伝統的或いは新興のネットワーク或いはメディアを通して、クライアントに伝送されて価値を発生し、数々のデジタルコンテンツサービスを形成する。
【０００４】
デジタルコンテンツサービス項目中、デジタル音声のサービスは最近人々の生活に浸透し且つ広く受け入れられている。その原因はマルチメディアデータの保存量は比較的小さく且つ小型の保存媒体に保存でき、人々はこの保存媒体の提供により、いつでもどこでも簡単に音楽を聴くことができるようになり、並びに便利で携帯性がよいためである。このためデジタル音声の発展は広く産業界と大衆に受け入れられ、重視されている。
【０００５】
コンピュータのデジタルワールド中、その音声フォーマットはいずれもデジタルエンコードの方式で保存され、一般には音波データと合成サウンド即ち音楽デジタルインタフェース（ＭＩＤＩ）の二種類に分けられ、音波データはアナログデジタル変換器によりサンプリング変換されデジタルフォーマットとされ、並びにコンピュータ保存媒体に保存され、合成サウンドはコンピュータ内蔵の音源が組み合わされてなる。よく見られる音波データフォーマットはＷａｖｅデータに属し、それは一般に＊．ｗａｖファイルで保存されるが、ｗａｖｅファイルフォーマットが必要とする保存空間は一分間の音波データで１０ＭＢ近い保存空間サイズを占用し、保存空間を相当に消耗する。この問題を解決するためにＭＰ３が誕生した。
【０００６】
１９９９年、ＭＰ３は米国の雑誌ＴＩＭＥの公布した十大最良ネットワークテクノロジーに入選し、ＭＰ３のテクノロジーの応用は音楽世界に重大な改革とビジネスチャンスをもたらし、レコード会社はＭＰ３デジタルメルチメディアコンテンツの応用に力を注いでおり、それには、ＭＰ３プレイヤー、ネットワークからのＭＰ３のダウンロード課金応用等があり、ＭＰ３デジタルマルチメディアコンテンツの推奨は広く人々に受け入れられている。
【０００７】
ＭＰ３の音声データは音波データの一種類に属し、それはもとの音波データを圧縮してＭＰ３ファイルフォーマットとなし、この特殊な圧縮方法により５０から６０ＭＢ近くのＷａｖｅデータをただ４ＭＢを必要とするデータに変換し且つ音質はほぼ音楽用ＣＤサウンドと同じとすることができる。しかしファイル容量部分は１０倍近いデータ保存空間の差があり、これにより一枚のＭＰ３の音楽ＣＤは十数枚の音楽ＣＤを内部に保存でき、もし一枚の音楽ＣＤを６０分間で再生するとして計算すると、一枚のＭＰ３の音楽ＣＤは十数時間の音楽データを保存でき、小型の音楽キャビネットと同様となり、これがＭＰ３の興隆の原因の一つである。
【０００８】
ＭＰ３のフルネームはＭＰＥＧ（Ｍｏｖｉｅ  Ｐｉｃｔｕｒｅ  Ｅｘｐｅｒｔｓ  Ｇｒｏｕｐ）Ｌａｙｅｒ  ３とされ、ＭＰＥＧ−１のレイヤーに属し、そのもとの発展の目標は情報媒体伝送が消耗する負荷量を減らし、並びに同じ媒体品質を保持することにあり、ＭＰ３の保存容量が比較的少ない特性に、ネットワーク周波数幅の制限が合わさり、少なからぬレコード業者が比較的小容量で且つ音質が音楽ＣＤサウンドとほぼ同じＭＰ３を以てデジタル音楽無店舗販売のネットワーク競争に加入している。その方法はブラウザ側が毎月少額を支払う方式で、オンラインでＭＰ３をダウンロードする権利を取得する、というものである。しかし、ネットワークのチャネル及びＭＰ３品質は良好で且つダウンロード、複製が容易な特性から、受信権利を持たないブラウザ側であっても持つべきでない権利を享受することができ、レコード会社の完全で、環境に適合する全体販売メカニズムに対して極めて大きなホールと挑戦を出現させ、もし以上の関係技術のネックを克服できれば、技術レベル方面で、高性能で、高いインタラクティビティー及び信頼できる安全性の高品質のデジタルコンテンツを提供できる。
【０００９】
ＭＰ３が複製と流通しやすい問題を解決するため、ネットワークの安全とコンテンツ保護は次第に重視されるようになった。図１はデータ保護のブロック図であり、対称式或いは非対称式の暗号化メカニズムの提供により、データ伝送過程中で保護を行なう。図示されるように、暗号化ユニット１５’が少なくとも一つの暗号化する情報１０’と暗号化キー２０’を受け取った後、暗号化する情報１０’に暗号化動作を行なった後、それをネットワーク上に放置し、ただ暗号化キー２０’に対応する暗号解除キー３０’を有する使用者だけが暗号解除ユニット２５’を通して暗号化データと暗号解除キー３０’を読み取り、暗号解除動作を行ない、暗号解除後の情報３５’を発生する。そのうち、暗号化する情報１０’と暗号解除後の情報３５’は同じデータとされる。
【００１０】
アップルコンピュータ社は積極的にＭＰ３ネットワークの取引ビジネスチャンスを開発し、デジタルコンテンツ保護を具えたｉＴｕｎｅシリーズ製品を販売し、それによると、ブラウザ側でロックされたＭＰ３とコード解除機能を具えたＭＰ３プレイヤーをダウンロードし、ブラウザ側が更にシステム側が発送するロック解除キーとＭＰ３プレイヤーの組合せにより、ロックされたＭＰ３をロック解除した後、再生動作を行なう。そのうち、暗号解除キーはシステム側が発生する自身の部分システムキー（Ｐａｒｔｉａｌ  Ｓｙｓｔｅｍ  Ｋｅｙ）を利用し、ブラウザ側が登録動作を行なう時、システム側がブラウザ側のハードウエア情報を読み取り、ブラウザ側の部分クライアントキー（Ｐａｒｔｉａｌ  Ｓｙｓｔｅｍ  Ｋｅｙ）例えばＩＰアドレス、ネットワークカードナンバーを発生し、結合してＭＰ３のコード解除キーとなし、ＭＰ３のコード解除キーの使用者以外がＭＰ３の内容を受信できないようにし、これにより有効にＭＰ３の任意の複製と流通を防止する。
【００１１】
しかしアップルコンピュータ社の提出したｉＴｕｎｅシリーズ製品はＭＰ３のコンテンツ保護を達成するものの、ブラウザ側が対応するプレイヤー（Ｐｌａｙｅｒ）をダウンロード或いは購入しなければならず、且つこの製品は僅かにマッキントッシュシリーズコンピュータとＷｉｎｄｏｗｓ（登録商標）オペレーションシステム下でのみ適用される。しかしマッキントッシュシリーズコンピュータとＷｉｎｄｏｗｓ（登録商標）オペレーションシステムはいずれもシステム負荷が比較的大きなコンピュータシステムであり、このため使用者がコンピュータを利用してオーディオ信号を再生する時、コンピュータを起動する長い時間を待たねばならない。このほか、重複インストールを防止しリソースを節約するため、いかにＬｉｎｕｘ（登録商標）とＷｉｎｄｏｗｓ（登録商標）オペレーションシステムをインストールしたコンピュータシステムに共有させるかが、考慮しなければならないポイントの一つである。
【００１２】
近年、情報技術の不断の向上により、ロックされたＭＰ３情報のほか、ロックされたマルチメディアデータ、例えばロックされたビデオデータ、ロックされたテキストデータ等が近く発展すると思われ、このため、いかにロック解除機能を具えたマルチメディアプレイヤーを提供し、且つリソース負荷が比較的低いオペレーションシステムとシステムリソース負荷が比較的高いオペレーションシステムに相互に共有させて、二つのオペレーションシステムへの重複インストールを減らして空間の浪費を節約し、起動待機時間を減らすか、という問題が、現在重視及び思考しなければならない課題である。
【００１３】
このため、上述の問題に対して、ロックされたマルチメディアデータを再生可能なコンピュータシステム及びその方法を提供し、伝統的なマルチメディアプレイヤーがロックされたマルチメディアデータを支援しない欠点を解決するのみならず、二つのオペレーションシステムにロック解除特性を具えたマルチメディアプレイヤーと該ロックされたマルチメディアデータに対応する登録情報を共有させられるようにすることが、長く使用者の切実な願望及び本発明者の解決しようとする問題であった。
【発明の開示】
【発明が解決しようとする課題】
【００１４】
本発明の主要な目的は、一種のロックされたマルチメディアデータを再生可能なコンピュータシステム及びその方法を提供することにあり、このコンピュータシステムにはシステムリソースの比較的高い第１オペレーションシステムとシステムリソースの比較的低い第２オペレーションシステムがインストールされ、それは第２オペレーションシステム下でロックされたマルチメディアデータのロック解除動作を行ない、第１オペレーションシステムの登録情報がロックされたマルチメディアデータのロック解除情報を提供し、ロック解除ユニットを通して、保存ユニットに保存された少なくとも一つのロックされたマルチメディアデータと該登録情報が提供するロック解除情報を読み取り、少なくとも一つのロックされたマルチメディアデータをロック解除した後に、再生ユニットに送り、再生動作を行なう。
【００１５】
本発明の次の目的は、速やかに使用者の要求を満足させることにあり、システムリソース消耗が比較的低い第２オペレーションシステムを起動し、第１オペレーションシステムのロック解除ユニット、該再生ユニット及び該登録情報の提供するロック解除データを供給することで、使用者がシステムリソース消耗が比較的高い第１オペレーションシステムの起動を待つ時間を減らし、速やかに少なくとも一つの使用者がロックされた特性を具えたマルチメディアデータを再生する要求を満足させる。
【００１６】
本発明の別の目的は、遠方のロックされたマルチメディアデータを保存する方法を提供することにあり、システムリソース消耗の比較的低い第２オペレーションシステム起動の後、使用者が入力ユニットを通して外部命令を下し、ＣＰＵが命令受信後に、マルチメディア受信ユニットを駆動し、少なくとも一つの遠端マルチメディアデータを保存ユニット内に受信並びに保存させ、さらにロック解除ユニットで該遠端マルチメディアデータに対応する登録情報を読み取り、ロック解除後に再生ユニットに伝送して再生する。
【００１７】
本発明のまた別の目的は、保存空間を節約することにあり、第２オペレーションシステムが第１オペレーションシステムのロック解除ユニットと再生ユニットを共有することにより、保存空間を有効に節約する。
【００１８】
本発明の別の目的は、節電機能を提供することにあり、システム負荷が低い第２オペレーションシステム起動後に、僅かにロック解除ユニットと再生ユニットが使用するシステムリソースのみ起動し、有効にシステムリソースの消耗を減らす。
【課題を解決するための手段】
【００１９】
請求項１の発明は、ロックされたマルチメディアデータを再生可能なコンピュータシステムにおいて、該コンピュータシステムは、
システムリソース消耗が高い第１オペレーションシステムと、
該第１オペレーションシステム内に保存されて少なくとも一つのロックされたマルチメディアデータのロック解除情報を提供可能である登録情報と、
システムリソース消耗が第１オペレーションシステムよりも低い第２オペレーションシステムと、
を具え、第２オペレーションシステムが第１オペレーションシステムの該登録情報の内容を共有できることを特徴とする、ロックされたマルチメディアデータを再生可能なコンピュータシステムとしている。
請求項２の発明は、請求項１記載のロックされたマルチメディアデータを再生可能なコンピュータシステムにおいて、ロック解除情報がロックされたマルチメディアデータに対応する暗号解除キーとされたことを特徴とする、ロックされたマルチメディアデータを再生可能なコンピュータシステムとしている。
請求項３の発明は、請求項１記載のロックされたマルチメディアデータを再生可能なコンピュータシステムにおいて、登録情報がアプリケーションプログラムに対応する登録コードとされて該アプリケーションプログラムを実行する使用権利を提供することを特徴とする、ロックされたマルチメディアデータを再生可能なコンピュータシステムとしている。
請求項４の発明は、請求項１記載のロックされたマルチメディアデータを再生可能なコンピュータシステムにおいて、登録情報がｃｏｏｋｉｅｓ情報とされて、それは遠端ＨＰサーバーが該コンピュータシステムに伝送する認識データを保存するのに用いられることを特徴とする、ロックされたマルチメディアデータを再生可能なコンピュータシステムとしている。
請求項５の発明は、請求項１記載のロックされたマルチメディアデータを再生可能なコンピュータシステムにおいて、第１オペレーションシステムがＷｉｎｄｏｗｓ（登録商標）系列のオペレーションシステムとされたことを特徴とする、ロックされたマルチメディアデータを再生可能なコンピュータシステムとしている。
請求項６の発明は、請求項１記載のロックされたマルチメディアデータを再生可能なコンピュータシステムにおいて、第２オペレーションシステムがＬｉｎｕｘ（登録商標）オペレーションシステムとされたことを特徴とする、ロックされたマルチメディアデータを再生可能なコンピュータシステムとしている。
請求項７の発明は、ロックされたマルチメディアデータを再生可能なコンピュータシステムにおいて、該コンピュータシステムにはシステムリソース消耗が高い第１オペレーションシステムと、システムリソース消耗が第１オペレーションシステムよりも低い第２オペレーションシステムとがインストールされ、該コンピュータシステムは第２オペレーションシステム下でロックされたマルチメディアデータのロック解除を行ない、該コンピュータシステムは、
該第１オペレーションシステム内に保存されて少なくとも一つのロックされたマルチメディアデータのロック解除情報を提供可能である登録情報と、
少なくとも一つのロックされたマルチメディアデータと該登録情報を読み取り、ロック解除を行なうロック解除ユニットと、
該ロック解除ユニットがロック解除したマルチメディアデータを読み取り、再生する再生ユニットと、
を具えたことを特徴とする、ロックされたマルチメディアデータを再生可能なコンピュータシステムとしている。
請求項８の発明は、請求項７記載のロックされたマルチメディアデータを再生可能なコンピュータシステムにおいて、ロック解除情報が少なくとも一つのロックされたマルチメディアデータに対応する暗号解除キーとされて、該暗号解除キーはロック解除ユニットに提供されてロックされたマルチメディアデータに対するロック解除に供されることを特徴とする、ロックされたマルチメディアデータを再生可能なコンピュータシステムとしている。
請求項９の発明は、請求項７記載のロックされたマルチメディアデータを再生可能なコンピュータシステムにおいて、登録情報がアプリケーションプログラムに対応する登録コードとされて該アプリケーションプログラムを実行する使用権利を提供することを特徴とする、ロックされたマルチメディアデータを再生可能なコンピュータシステムとしている。
請求項１０の発明は、請求項７記載のロックされたマルチメディアデータを再生可能なコンピュータシステムにおいて、登録情報がｃｏｏｋｉｅｓ情報とされて、それは遠端ＨＰサーバーが該コンピュータシステムに伝送する認識データを保存するのに用いられることを特徴とする、ロックされたマルチメディアデータを再生可能なコンピュータシステムとしている。
請求項１１の発明は、請求項７記載のロックされたマルチメディアデータを再生可能なコンピュータシステムにおいて、保存ユニットを更に具え、該保存ユニットが少なくとも一つのマルチメディアデータを保存することを特徴とする、ロックされたマルチメディアデータを再生可能なコンピュータシステムとしている。
請求項１２の発明は、請求項１１記載のロックされたマルチメディアデータを再生可能なコンピュータシステムにおいて、マルチメディアデータがロックされたマルチメディアデータとされたことを特徴とする、ロックされたマルチメディアデータを再生可能なコンピュータシステムとしている。
請求項１３の発明は、請求項１１記載のロックされたマルチメディアデータを再生可能なコンピュータシステムにおいて、保存ユニットがハードディスクとされたことを特徴とする、ロックされたマルチメディアデータを再生可能なコンピュータシステムとしている。
請求項１４の発明は、請求項１１記載のロックされたマルチメディアデータを再生可能なコンピュータシステムにおいて、保存ユニットが関係保存装置とされたことを特徴とする、ロックされたマルチメディアデータを再生可能なコンピュータシステムとしている。
請求項１５の発明は、請求項１４記載のロックされたマルチメディアデータを再生可能なコンピュータシステムにおいて、関係保存装置がＵＳＢディスクとされたことを特徴とする、ロックされたマルチメディアデータを再生可能なコンピュータシステムとしている。
請求項１６の発明は、請求項７記載のロックされたマルチメディアデータを再生可能なコンピュータシステムにおいて、保存ユニットが提供するマルチメディアデータがアンロックのマルチメディアデータとされる時、直接該アンロックのマルチメディアデータが再生ユニットに伝送されて再生されることを特徴とする、ロックされたマルチメディアデータを再生可能なコンピュータシステムとしている。
請求項１７の発明は、請求項７記載のロックされたマルチメディアデータを再生可能なコンピュータシステムにおいて、マルチメディア受信ユニットを更に具え、該マルチメディア受信ユニットは少なくとも一つの遠端マルチメディアデータを受信し、並びにそれを保存ユニット内に保存することを特徴とする、ロックされたマルチメディアデータを再生可能なコンピュータシステムとしている。
請求項１８の発明は、請求項１７記載のロックされたマルチメディアデータを再生可能なコンピュータシステムにおいて、マルチメディア受信ユニットがアナログ遠端マルチメディアデータをデジタルマルチメディアデータに変換することを特徴とする、ロックされたマルチメディアデータを再生可能なコンピュータシステムとしている。
請求項１９の発明は、請求項１７記載のロックされたマルチメディアデータを再生可能なコンピュータシステムにおいて、遠端マルチメディアデータがロックされたマルチメディアデータとされたことを特徴とする、ロックされたマルチメディアデータを再生可能なコンピュータシステムとしている。
請求項２０の発明は、請求項７記載のロックされたマルチメディアデータを再生可能なコンピュータシステムにおいて、入力ユニットを更に具え、該入力ユニットが外部命令を受け取るのに用いられることを特徴とする、ロックされたマルチメディアデータを再生可能なコンピュータシステムとしている。
請求項２１の発明は、請求項２０記載のロックされたマルチメディアデータを再生可能なコンピュータシステムにおいて、入力ユニットが無線リモートコントローラーとされたことを特徴とする、ロックされたマルチメディアデータを再生可能なコンピュータシステムとしている。
請求項２２の発明は、請求項２０記載のロックされたマルチメディアデータを再生可能なコンピュータシステムにおいて、入力ユニットがキーボードとされたことを特徴とする、ロックされたマルチメディアデータを再生可能なコンピュータシステムとしている。
請求項２３の発明は、請求項７記載のロックされたマルチメディアデータを再生可能なコンピュータシステムにおいて、ＣＰＵを更に具え、該ＣＰＵは入力ユニットからの外部命令を受け取り、マルチメディア受信ユニットを駆動して遠端マルチメディアデータを受信することを特徴とする、ロックされたマルチメディアデータを再生可能なコンピュータシステムとしている。
請求項２４の発明は、請求項７記載のロックされたマルチメディアデータを再生可能なコンピュータシステムにおいて、ＢＩＯＳを更に具え、該ＢＩＯＳは第２オペレーションシステムを起動する命令を下達してシステムリソース消耗が比較的低い第２オペレーションシステムを実行してロックされたマルチメディアデータのロック解除を行なわせることを特徴とする、ロックされたマルチメディアデータを再生可能なコンピュータシステムとしている。
請求項２５の発明は、請求項７記載のロックされたマルチメディアデータを再生可能なコンピュータシステムにおいて、第１オペレーションシステムがＷｉｎｄｏｗｓ（登録商標）系列のオペレーションシステムとされたことを特徴とする、ロックされたマルチメディアデータを再生可能なコンピュータシステムとしている。
請求項２６の発明は、請求項７記載のロックされたマルチメディアデータを再生可能なコンピュータシステムにおいて、第２オペレーションシステムがＬｉｎｕｘ（登録商標）オペレーションシステムとされたことを特徴とする、ロックされたマルチメディアデータを再生可能なコンピュータシステムとしている。
請求項２７の発明は、請求項７記載のロックされたマルチメディアデータを再生可能なコンピュータシステムにおいて、第２オペレーションシステムが第１オペレーションシステムにインストールされたアプリケーションプログラムを共用することを特徴とする、ロックされたマルチメディアデータを再生可能なコンピュータシステムとしている。
請求項２８の発明は、ロックされたマルチメディアデータを再生する方法において、この方法はシステムリソース消耗が高い第１オペレーションシステムとシステムリソース消耗が第１オペレーションシステムよりも低い第２オペレーションシステムとがインストールされたコンピュータシステムにおいて、第２オペレーションシステム下でロックされたマルチメディアデータのロック解除を行なうのに用いられ、この方法は、
登録情報を第１オペレーションシステム内に保存して少なくとも一つのロックされたマルチメディアデータのロック解除情報を提供するステップと、
ロック解除ユニットを通して、少なくとも一つのロックされたマルチメディアデータと該登録情報を読み取り、ロック解除を行なうステップと、
再生ユニットを通して、該ロック解除ユニットがロック解除したマルチメディアデータを読み取り、再生するステップと、
を具えたことを特徴とする、ロックされたマルチメディアデータを再生する方法としている。
請求項２９の発明は、請求項２８記載のロックされたマルチメディアデータを再生する方法において、ロック解除情報が少なくとも一つのロックされたマルチメディアデータに対応する暗号解除キーとされて、該暗号解除キーはロック解除ユニットに提供されてロックされたマルチメディアデータに対するロック解除に供されることを特徴とする、ロックされたマルチメディアデータを再生する方法としている。
請求項３０の発明は、請求項２８記載のロックされたマルチメディアデータを再生する方法において、登録情報がアプリケーションプログラムに対応する登録コードとされて該アプリケーションプログラムを実行する使用権利を提供することを特徴とする、ロックされたマルチメディアデータを再生する方法としている。
請求項３１の発明は、請求項２８記載のロックされたマルチメディアデータを再生する方法において、登録情報がｃｏｏｋｉｅｓ情報とされて、それは遠端ＨＰサーバーが該コンピュータシステムに伝送する認識データを保存するのに用いられることを特徴とする、ロックされたマルチメディアデータを再生する方法としている。
請求項３２の発明は、請求項２８記載のロックされたマルチメディアデータを再生する方法において、保存ユニットを更に具え、該保存ユニットが少なくとも一つのマルチメディアデータを保存することを特徴とする、ロックされたマルチメディアデータを再生する方法としている。
請求項３３の発明は、請求項３２記載のロックされたマルチメディアデータを再生する方法において、マルチメディアデータがロックされたマルチメディアデータとされたことを特徴とする、ロックされたマルチメディアデータを再生する方法としている。
請求項３４の発明は、請求項３２記載のロックされたマルチメディアデータを再生する方法において、保存ユニットがハードディスクとされたことを特徴とする、ロックされたマルチメディアデータを再生する方法としている。
請求項３５の発明は、請求項３２記載のロックされたマルチメディアデータを再生する方法において、保存ユニットが関係保存装置とされたことを特徴とする、ロックされたマルチメディアデータを再生する方法としている。
請求項３６の発明は、請求項３５記載のロックされたマルチメディアデータを再生する方法において、関係保存装置がＵＳＢディスクとされたことを特徴とする、ロックされたマルチメディアデータを再生する方法としている。
請求項３７の発明は、請求項２８記載のロックされたマルチメディアデータを再生する方法において、保存ユニットが提供するマルチメディアデータがアンロックのマルチメディアデータとされる時、直接該アンロックのマルチメディアデータが再生ユニットに伝送されて再生されることを特徴とする、ロックされたマルチメディアデータを再生する方法としている。
請求項３８の発明は、請求項２８記載のロックされたマルチメディアデータを再生する方法において、マルチメディア受信ユニットを更に具え、該マルチメディア受信ユニットは少なくとも一つの遠端マルチメディアデータを受信し、並びにそれを保存ユニット内に保存することを特徴とする、ロックされたマルチメディアデータを再生する方法としている。
請求項３９の発明は、請求項３８記載のロックされたマルチメディアデータを再生する方法において、マルチメディア受信ユニットがアナログ遠端マルチメディアデータをデジタルマルチメディアデータに変換することを特徴とする、ロックされたマルチメディアデータを再生する方法としている。
請求項４０の発明は、請求項３８記載のロックされたマルチメディアデータを再生する方法において、遠端マルチメディアデータがロックされたマルチメディアデータとされたことを特徴とする、ロックされたマルチメディアデータを再生する方法としている。
請求項４１の発明は、請求項２８記載のロックされたマルチメディアデータを再生する方法において、入力ユニットを更に具え、該入力ユニットが外部命令を受け取るのに用いられることを特徴とする、ロックされたマルチメディアデータを再生する方法としている。
請求項４２の発明は、請求項４１記載のロックされたマルチメディアデータを再生する方法において、入力ユニットが無線リモートコントローラーとされたことを特徴とする、ロックされたマルチメディアデータを再生する方法としている。
請求項４３の発明は、請求項４１記載のロックされたマルチメディアデータを再生する方法において、入力ユニットがキーボードとされたことを特徴とする、ロックされたマルチメディアデータを再生する方法としている。
請求項４４の発明は、請求項２８記載のロックされたマルチメディアデータを再生する方法において、ＣＰＵを更に具え、該ＣＰＵは入力ユニットからの外部命令を受け取り、マルチメディア受信ユニットを駆動して遠端マルチメディアデータを受信することを特徴とする、ロックされたマルチメディアデータを再生する方法としている。
請求項４５の発明は、請求項２８記載のロックされたマルチメディアデータを再生する方法において、ＢＩＯＳを更に具え、該ＢＩＯＳは第２オペレーションシステムを起動する命令を下達してシステムリソース消耗が比較的低い第２オペレーションシステムを実行してロックされたマルチメディアデータのロック解除を行なわせることを特徴とする、ロックされたマルチメディアデータを再生する方法としている。
請求項４６の発明は、請求項２８記載のロックされたマルチメディアデータを再生する方法において、第１オペレーションシステムがＷｉｎｄｏｗｓ（登録商標）系列のオペレーションシステムとされたことを特徴とする、ロックされたマルチメディアデータを再生する方法としている。
請求項４７の発明は、請求項２８記載のロックされたマルチメディアデータを再生する方法において、第２オペレーションシステムがＬｉｎｕｘ（登録商標）オペレーションシステムとされたことを特徴とする、ロックされたマルチメディアデータを再生する方法としている。
請求項４８の発明は、請求項２８記載のロックされたマルチメディアデータを再生する方法において、第２オペレーションシステムが第１オペレーションシステムにインストールされたアプリケーションプログラムを共用することを特徴とする、ロックされたマルチメディアデータを再生する方法としている。
【発明の効果】
【００２０】
本発明はロックされたマルチメディアデータを再生可能なコンピュータシステム及びその方法を提供し、それはシステムリソース消耗の大きい第１オペレーションシステムとシステムリソース消耗が小さい第２オペレーションシステムがインストールされ、ＢＩＯＳにより第２オペレーションシステムが起動された後、使用者が入力ユニットを通して少なくとも一つのロックされたマルチメディアデータをロック解除する命令を下すと、ＣＰＵがこの命令を受け取った後、第２オペレーションシステムに第１オペレーションシステムのロック解除ユニットと再生ユニットを共有させ、別に第２オペレーションシステムに第１オペレーションシステムの登録情報を共有させ、ロック解除ユニットに保存ユニットより少なくとも一つのロックされたマルチメディアデータと該ロックされたマルチメディアデータに対応する登録情報を読み取らせ、これによりロック解除を行なわせ、ロック解除完成後に、再生ユニットがロック解除されたマルチメディアデータを再生する。そのうち、本発明はマルチメディア受信ユニットを提供し、使用者が少なくとも一つの遠端マルチメディアデータを該保存ユニット内に受信並びに保存できるようにし、ロック解除動作に供する。本発明は第１オペレーションシステムの共有により、システムリソース消耗が比較的高く保存空間が比較的大きい第１オペレーションシステムの起動を待つ時間を減らし、有効に保存空間を節約し節電の目的を達成する。
【発明を実施するための最良の形態】
【００２１】
図２は本発明の好ましい実施例のデータ共有ブロック図である。図示されるように、コンピュータシステムにはシステムリソース消耗が比較的高い第１オペレーションシステム２０と、システムリソース消耗が比較的低い第２オペレーションシステム３０がインストールされている。ＢＩＯＳにより該第２オペレーションシステム３０が起動され、該第２オペレーションシステム３０は第１オペレーションシステム２０の登録情報２５を共有し、該登録情報２５は少なくとも一つのロックされたマルチメディアデータのロック解除情報を提供し、ロック解除時に必要な暗号解除キーを提供する。
【００２２】
そのうち、登録情報２５はアプリケーションプログラムが対応する登録コードとされうる。もし使用者が該アプリケーションプログラムの合法使用者であれば、該第２オペレーションシステムを利用して該アプリケーションプログラムを実行する時、該第１オペレーションシステムの登録情報の提供により、該アプリケーションプログラムを実行する権利を取得する。該登録情報はまたｃｏｏｋｉｅｓ情報とされ得て、それは遠端サーバーが該コンピュータシステムに伝送した認識データを保留するのに用いられ、使用者が第２オペレーションシステム３０でＨＰを閲覧する時、該第１オペレーションシステムのｃｏｏｋｉｅｓ情報の提供により、使用者が閲覧済みの該ＨＰの情報を保留できる。
【００２３】
図３は本発明の好ましい実施例のロックされたマルチメディアデータを再生可能なコンピュータシステム及びその方法のブロック図である。それは、ＢＩＯＳで第２オペレーションシステム３０を起動し、第２オペレーションシステム３０下でロックされたマルチメディアのロック解除動作を行ない、使用者はキーボード或いは無線リモートコントローラーとされうる入力ユニット１０を通して、少なくとも一つのロックされたマルチメディアデータをロック解除する命令を下達し、ＣＰＵ１５を通して該命令を受信後に、第２オペレーションシステム３０が駆動ユニット５０を利用し、該第１オペレーションシステム２０のロック解除ユニット４０と再生ユニット４５を実行する命令をパラメータ変換ユニット５５に受信し、該ロック解除ユニット４０と該再生ユニット４５の関係パラメータを第２オペレーションシステム３０が実行できるフォーマットに変換し、第１オペレーションシステム２０のリソースを共有し、システムリソース消耗が比較的高く保存空間が比較的大きい第１オペレーションシステム２０起動を待機する時間を減らし、アプリケーションプログラムの重複インストールを防止し、保存空間を有効に節約する。該第２オペレーションシステム３０はロック解除ユニット４０により保存ユニット３５の少なくとも一つのロックされたマルチメディアデータと、第１オペレーションシステム２０内の、該ロックされたマルチメディアデータに対応する登録情報２５を読み取り、ロック解除を行ない、ロック解除完成後に、該再生ユニット４５を通して、既にロック解除したマルチメディアデータを再生する。
【００２４】
上述の保存ユニット３５は、ハードディスク（ＨＤ）或いはＵＳＢディスクとされ得て、それは使用者が少なくとも一つのマルチメディアデータを提供し、それがロックされたのないマルチメディアデータである時、直接該再生ユニット４５に伝送してマルチメディア再生できる。該登録情報２５は、ロックされたマルチメディアデータのロック解除情報、即ちロック解除動作時に必要な暗号解除キーを提供し、使用者がロックされたマルチメディアデータを購入とダウンロードする時、販売者よりこの登録情報２５を取得することができる。該ロック解除ユニット４０には複数の暗号化モジュールが提供され、使用者は定期に暗号化モジュールをダウンロードでき、並びにそれをロック解除ユニット４０内にインストールすることで、ロックされたマルチメディアデータ再生の目的を達成できる。
【００２５】
図４は本発明の好ましい実施例のロックされたマルチメディアデータを再生可能なコンピュータシステム及びその方法の別のブロック図である。図示されるように、ロック解除ユニット４０’と再生ユニット４５’は第２オペレーションシステム３０内にインストールされ、ロック解除ユニット４０’が保存ユニット３５の少なくとも一つのロックされたマルチメディアデータと第１オペレーションシステム２０内の該ロックされたマルチメディアデータに対応する登録情報２５を読み取り、ロック解除を行ない、ロック解除完成後に、該再生ユニット４５’を通して既にロック解除したマルチメディアデータの再生を行なう。
【００２６】
図５は本発明の好ましい実施例の遠端マルチメディアデータ受信のブロック図である。図示されるように、該コンピュータシステムはマルチメディア受信ユニット６０を具えて使用者が少なくとも一つの遠端マルチメディアデータを受信した時、外部命令をＣＰＵ１５に下して該マルチメディア受信ユニット６０を駆動することで、保存ユニット３５に受信並びに保存するのに供される。該遠端マルチメディアデータがロックされたマルチメディアデータとされる時、ロック解除ユニット４０の提供により、該ロックされたマルチメディアデータと対応する登録情報２５が読み取られ、ロック解除された後、再生ユニット４５により再生される。遠端マルチメディアデータがアンロックのマルチメディアデータである時は、直接再生ユニット４５に送り、再生する。そのうち、受信する遠端マルチメディアデータがアナログ信号である時、該マルチメディア受信ユニット６０はそれをデジタル式マルチメディアデータに変換する。
【００２７】
図６は本発明の好ましい実施例のフローチャートである。本発明のロックされたマルチメディアデータを再生可能なコンピュータシステム及びその方法は以下のステップを具えている。
ステップＳ１：  コンピュータを起動し、ＢＩＯＳによりシステムリソース消耗が比較的低い第２オペレーションシステムを起動する。
ステップＳ２：  入力ユニットによりロックされたマルチメディアデータを再生する命令をＣＰＵに下す。
ステップＳ３：  命令を受信した後、ＣＰＵが駆動ユニットを通して第１オペレーションシステム内のロック解除ユニットと再生ユニットを実行する命令をパラメータ変換ユニットに下す。
ステップＳ４：  ロック解除ユニットと再生ユニットを第１オペレーションシステムに保存して関係パラメータを実行する。
ステップＳ５：  パラメータ変換を実行し、ロック解除ユニットと再生ユニットの関係パラメータを第２オペレーションシステムが実行可能なフォーマットとなす。
ステップＳ６：  ロック解除ユニットを通して保存ユニットの少なくとも一つのロックされたマルチメディアデータと第１オペレーションシステムの該ロックされたマルチメディアデータに対応する登録情報を読み取り、ロック解除する。
ステップＳ７：  ロック解除されたマルチメディアデータを読み取り、該再生ユニットを通して再生する。
ステップＳ８：  実行完成後に、該パラメータ変換ユニットを通してロック解除ユニットと再生ユニットの関係パラメータを第１オペレーションシステムが実行可能なパラメータ値に変換するか或いは戻す。
【００２８】
総合すると、本発明はロックされたマルチメディアデータを再生可能なコンピュータシステム及びその方法を提供し、該コンピュータシステムはシステムリソース消耗が比較的高い第１オペレーションシステムとシステムリソース消耗が比較的低い第２オペレーションシステムがインストールされ、ＢＩＯＳにより第２オペレーションシステムが起動される。使用者が入力ユニットを通して少なくとも一つのロックされたマルチメディアデータのロック解除の命令を下すと、ＣＰＵがこの命令を受け取った後、該第２オペレーションシステムが駆動ユニットを通して、該第１オペレーションシステムのロック解除ユニットと再生ユニットを実行する命令をパラメータ変換ユニットに受け取り、パラメータ変換ユニットが該ロック解除ユニットと該再生ユニットの関係パラメータを第２オペレーションシステムが実行可能なフォーマットに変換し、こうして第１オペレーションシステムのリソースを共有し、別に第２オペレーションシステムが第１オペレーションシステムの登録情報を共有し、ロック解除ユニットに保存ユニットの少なくとも一つのロックされたマルチメディアデータと該ロックされたマルチメディアデータに対応する登録情報を提供してロック解除に供する。ロック解除完成後に、該再生ユニットを通してすでにロック解除されたマルチメディアデータの再生を行なう。このほか使用者は本発明のマルチメディア受信ユニットにより遠端のロックされたマルチメディアデータを受け取り並びに保存できる。本発明は第１オペレーションシステムのリソースを共有することにより、システムリソース消耗が比較的高く保存空間が比較的大きい第１オペレーションシステムの起動を待つ時間を減らし、有効に保存空間を節約し節電の目的を達成する。ゆえに本発明は新規性、進歩性及び産業上の利用価値を具えている。なお、以上の実施例は本発明の実施範囲を限定するものではなく、以上の説明及び図面の記載に基づきなしうる細部の修飾或いは改変は、いずれも本発明の請求範囲に属するものとする。
【図面の簡単な説明】
【００２９】
【図１】周知のデータ保護のブロック図である。
【図２】本発明の好ましい実施例のデータ共有ブロック図である。
【図３】本発明の好ましい実施例のロックされたマルチメディアデータを再生可能なコンピュータシステム及びその方法のブロック図である。
【図４】本発明の好ましい実施例のロックされたマルチメディアデータを再生可能なコンピュータシステム及びその方法の別のブロック図である。
【図５】本発明の好ましい実施例の遠端マルチメディアデータ受信のブロック図である。
【図６】本発明の好ましい実施例のフローチャートである。
【符号の説明】
【００３０】
１０’  暗号化する情報
１５’  暗号化ユニット
２０’  暗号化キー
２５’  暗号解除ユニット
３０’  暗号解除キー
３５’  暗号解除後の情報
１０  入力ユニット
１５  ＣＰＵ
２０  第１オペレーションシステム
２５  登録情報
３０  第２オペレーションシステム
３５  保存ユニット
４０  ロック解除ユニット
４０’  ロック解除ユニット
４５  再生ユニット
４５’  再生ユニット
５０  駆動ユニット
５５  パラメータ変換ユニット
６０  マルチメディア受信ユニット
【図１】
2005323343.tif 000003
【図２】
2005323343.tif 000004
【図３】
2005323343.tif 000005
【図４】
2005323343.tif 000006
【図５】
2005323343.tif 000007
【図６】
2005323343.tif 000008